(57)【要約】【課題】測定部位別の測定結果を得ることのできる血圧測定装置を提供する。【解決手段】カフが上腕に装着された後、動作開始が指示されたことが検出されると（ステップＳ１１）、測定部位を検出するための動作が実行され（ステップＳ１３）、血圧測定が実行される（ステップＳ１５）。測定結果は測定部位と共に表示され（ステップＳ１７）、測定結果および検出された測定部位を示す情報とが記憶される（ステップＳ１９）。【選択図】図９
2007185233.tif 000002
【特許請求の範囲】
【請求項１】
被験者の測定部位を圧迫する生体圧迫用流体袋を前記測定部位に固定するためのカフと、
前記生体圧迫用流体袋の内圧を測定することで前記被験者の血圧を測定するセンサと、
前記測定部位が前記被験者の右半身に属する部位であるか左半身に属する部位であるか、前記測定部位の左右を検出する検出手段と、
前記センサによる血圧測定の結果と、前記検出手段で検出された前記測定部位の左右とを対応付けて記憶する記憶手段とを備える、血圧測定装置。
【請求項２】
前記測定部位は、被験者の上腕または大腿部である、請求項１に記載の血圧測定装置。
【請求項３】
前記検出手段は、前記カフを前記測定部位に装着した際に前記生体圧迫用流体袋と前記測定部位との間に位置する検出用センサを含み、
前記検出手段は、前記検出用センサで検出された動脈振幅値に基づいて前記測定部位の左右を検出する、請求項１に記載の血圧測定装置。
【請求項４】
前記検出手段は、前記検出用センサで検出された動脈振幅値と所定の判別値とを比較することで前記測定部位の左右を検出する、請求項３に記載の血圧測定装置。
【請求項５】
前記検出手段は、前記検出用センサとして第１センサと第２センサとを含み、前記第１センサで検出された動脈振幅値と前記第２センサで検出された動脈振幅値とを比較することで前記測定部位の左右を検出する、請求項３に記載の血圧測定装置。
【請求項６】
前記血圧測定の結果を、前記検出手段で検出された前記測定部位の左右と共に表示する表示手段をさらに備える、請求項１に記載の血圧測定装置。
【請求項７】
前記記憶部に記憶された血圧測定の結果に対して、対応付けられている前記測定部位の左右ごとに統計処理を行なう算出手段をさらに備える、請求項１に記載の血圧測定装置。
【請求項８】
前記記憶部に記憶された血圧測定の結果に対して、対応付けられている前記測定部位の左右ごとに統計処理を行なう算出手段と、
前記血圧測定の結果と、前記算出手段で算出された前記統計処理の結果とを表示する表示手段とをさらに備える、請求項１に記載の血圧測定装置。
【請求項９】
前記算出手段は、前記記憶部に記憶された血圧測定の結果のうち、前記検出結果で検出された前記測定部位の左右に対応付けられている血圧測定の結果に対して前記統計処理を行なう、請求項８に記載の血圧測定装置。
【発明の詳細な説明】
【技術分野】
【０００１】
この発明は血圧測定装置に関し、特に、オシロメトリック方式の血圧測定装置に関する。
【背景技術】
【０００２】
オシロメトリック方式の血圧測定装置では、空気袋を内包する腕帯（カフ）を被験者である生体の所定部位に巻付けて固定し、空気袋を加減圧してその内圧を測定することで、被験者の血圧を計測している。昨今は、セルフメディケーションの観点より、被験者自身で血圧を測定し、測定結果を管理することがなされるようになってきている。
【０００３】
血圧の測定は、毎回、同じ測定部位にて行なわれることが好ましい。これは、カフ装着時に測定部位の特性とカフの特性とから、測定精度に対して誤差を含んだ結果が得られる可能性があるからである。たとえば、上腕で測定する場合、上腕における左右差や装着部位の疾患により圧迫不足などが影響して、測定精度に対して誤差を含んだ測定結果となる場合がある。具体的には、カフは一般的に左上腕部に装着して血圧を測定するよう空気袋が内部に位置決めされて配設されており、左右の測定部位とセンサとの位置関係によって、左上腕部での測定結果と右上腕部での測定結果とでその測定精度が異なる場合がある。また、左右いずれの測定部位と空気袋との位置関係が同じであるカフを用いた場合であっても、測定部位の特性として、たとえば筋肉の状態に左右差がある場合があり、左上腕部での測定結果と右上腕部での測定結果とでその測定精度が異なる場合がある。
【０００４】
上述のような測定精度に対する誤差を抑えるために、血圧測定装置においては、通常、被験者である使用者が血圧測定装置を用いて血圧を測定しその値を管理する場合に、毎回、生体の同じ部位へカフを装着するよう取扱説明書などで説明されていることが多い。
【０００５】
なお、測定部位である上腕の左右差に着目して、左右いずれの腕で血圧測定を行なう場合にも、カフを巻付ける作業性を向上させることを目的として、特開２００４−１５９９６８号公報（以下の特許文献１）では、血圧測定に用いるカフの機構として、右上腕用カフと左上腕用カフとの一対のカフを提案している。
【特許文献１】特開２００４−１５９９６８号公報
【発明の開示】
【発明が解決しようとする課題】
【０００６】
しかしながら、通常、被験者自身が血圧測定時にカフを装着する際、たとえ上記特許文献１に記載の機構を備えたカフを装着する場合であっても、上記のような測定精度の誤差について想起する可能性は低く、測定によって測定部位が異なる場合がある。
【０００７】
このような測定によって得られた測定結果は、上述のように誤差を含んでいる場合があり、測定時に精度のよい測定結果が表示されていない場合があるという問題があった。また、測定結果を一定期間蓄積して統計処理等を行なう場合に、精度のよい統計結果が得られない場合があるという問題があった。
【０００８】
また、このような測定によって得られた測定結果を医師が検討する場合、正しい判断がなされない可能性があるという問題もあった。
【０００９】
本発明はこのような問題に鑑みてなされたものであって、オシロメトリック方式の血圧測定装置であって、測定部位別の測定結果を得ることのできる血圧測定装置を提供することを目的とする。
【課題を解決するための手段】
【００１０】
上記目的を達成するために、本発明のある局面に従うと、血圧測定装置は、被験者の測定部位を圧迫する生体圧迫用流体袋を測定部位に固定するためのカフと、生体圧迫用流体袋の内圧を測定することで被験者の血圧を測定するセンサと、測定部位が被験者の右半身に属する部位であるか左半身に属する部位であるか、測定部位の左右を検出する検出手段と、センサによる血圧測定の結果と、検出手段で検出された測定部位の左右とを対応付けて記憶する記憶手段とを備える。なお、測定部位は、具体的には被験者の上腕または大腿部であり、カフを被験者の上腕または大腿部に装着して血圧測定を行なう。そこで、検出手段は、測定部位が左上腕であるか右上腕であるか、または左大腿部であるか右大腿部であるかを検出することが好ましい。
【００１１】
より具体的には、検出手段は、カフを測定部位に装着した際に生体圧迫用流体袋と測定部位との間、すなわち装着したときに内側に位置する検出用センサを含み、検出手段は、検出用センサで検出された動脈振幅値に基づいて前記測定部位の左右を検出することが好ましい。
【００１２】
検出用センサは、図４に示されるようにマイクロフォンなど測定部位に押し当てられて動脈波を測定するセンサであってもよいし、図１２に示されるように、動脈検出用流体袋である動脈検出用の空気袋の内圧を測定することで動脈を測定する圧力センサであってもよい。
【００１３】
さらに、検出手段は、検出用センサで検出された動脈振幅値と所定の判別値とを比較することで測定部位の左右を検出することが好ましい。上記カフが測定部位に装着されたときに前記センサが動脈に近い方の測定部位で検出される動脈波の具体例は、以下の実施の形態において図７（左上腕）で示され、遠い方の測定部位で検出される動脈波の具体例は、以下の実施の形態において図８（右上腕）で示される。上記判別値はこれらの動脈波の境界値であり、血圧測定装置に予め記憶されている。図１１に示されるように、検出用センサで検出された動脈振幅値と上記判別値とを比較し、検出された動脈振幅値が判別値よりも大なる場合には測定部位の左右はカフが装着されたときに前記センサが動脈に近い側であり、検出された動脈振幅値が判別値よりも小なる場合には測定部位の左右はカフが装着されたときに前記センサが動脈に遠い側であると判別される。
【００１４】
または、検出手段は、検出用センサとして第１センサと第２センサとを含み、第１センサで検出された動脈振幅値と第２センサで検出された動脈振幅値とを比較することで測定部位の左右を検出することが好ましい。すなわち、図１８および図１９に示されるように、上記第１センサおよび上記第２センサは、各々第１の動脈検出用の空気袋の内圧を測定するものおよび第２の動脈検出用の空気袋の内圧を測定するものであり、第１の動脈検出用の空気袋および第２の動脈検出用の空気袋は両方で測定部位をほぼ一周するように設置されて、いずれか一方のセンサが動脈に近く、他方のセンサが動脈から遠くに位置する。そのため、動脈に近いセンサで検出される動脈波の振幅値は、動脈から遠いセンサで検出される動脈波の振幅値よりも大きく、それらを比較することで第１センサ、第２センサと動脈との位置関係、すなわち左右いずれの測定部位に装着されているかが判別される。
【００１５】
また、血圧測定装置は、血圧測定の結果を、検出手段で検出された測定部位の左右と共に表示する表示手段をさらに備えることが好ましい。
【００１６】
また、血圧測定装置は、記憶部に記憶された血圧測定の結果に対して、対応付けられている測定部位の左右ごとに統計処理を行なう算出手段をさらに備えることが好ましい。具体的には、統計処理としては平均値を算出する処理が挙げられる。
【００１７】
また、血圧測定装置は、記憶部に記憶された血圧測定の結果に対して、対応付けられている測定部位の左右ごとに統計処理を行なう算出手段と、血圧測定の結果と、算出手段で算出された統計処理の結果とを表示する表示手段とをさらに備えることが好ましい。
【００１８】
さらに、算出手段は、記憶部に記憶された血圧測定の結果のうち、検出結果で検出された測定部位の左右に対応付けられている血圧測定の結果に対して統計処理を行なうことが好ましい。すなわち、血圧測定後、そのときの測定部位の左右と同じ側で測定された血圧測定値の平均値を算出し、測定結果と共に表示することが好ましい。
【発明の効果】
【００１９】
本発明にかかる血圧測定装置が、血圧測定値と測定部位を示す情報とを対応付けて記憶することで、使用者は測定部位別の測定結果を得ることができる。
【発明を実施するための最良の形態】
【００２０】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２１】
本実施の形態においては測定部位を右または左の上腕部とし、血圧測定装置に備えられるカフを右または左上腕部に装着して血圧測定を行なうものとするが、測定部位は右または左の上腕部に限定されるものではなく、以下に説明されるように、動脈位置が左右で異なる一対の測定部位であればよく、他の測定部位として右または左の大腿部が挙げられる。測定部位を大腿部とするときであっても、以下に説明される血圧測定装置が同様に適用される。
【００２２】
始めに、本実施の形態にかかる血圧測定装置を用いて血圧を測定するまでの動作について、以下に第１の実施の形態および第２の実施の形態を挙げて説明する。
【００２３】
［第１の実施の形態］
図１は、第１の実施の形態にかかる血圧測定装置に備えられるカフ１を、測定部位である左の上腕部に装着したときの腕の向きに直交する向きに切断した断面の概略を示す図である。
【００２４】
図１を参照して、第１の実施の形態にかかるカフ１には、裏布と表布とに覆われた内部に、流体袋である生体圧迫用流体袋としての血圧測定用空気袋２１（図４参照）を含む測定部２０と、動脈を検出する検出部１０とが備えられる。カフ１は、裏布が配された面を内側として測定部位である左の上腕部に巻付けて、内側の面の一端に配される面ファスナで内側の面を表布に固定することで、検出部１０および測定部２０を測定部位に固定して用いられる。
【００２５】
図２および図３は、本実施の形態にかかるカフ１を左上腕および右上腕に装着した状態を説明する図である。
【００２６】
図２および図３を参照して、カフ１には装着方向（肩側および肘側）および装着角度（面ファスナの位置）が定められており、検出部１０は、左上腕部に装着された場合には左腕動脈のほぼ真上に位置し（図２）、右上腕部に装着された場合には右腕動脈から離れたところに位置する（図３）。
【００２７】
図４は、本実施の形態にかかる血圧測定装置の構成の具体例を示すブロック図である。
図４を参照して、本実施の形態にかかる血圧測定装置は、大きくは、血圧測定装置本体３と、本体３に接続されたカフ１とを含んで構成され、カフ１には、図１に示されたように、検出部１０および測定部２０が含まれる。
【００２８】
本実施の形態において、検出部１０には、検出用センサ１１が含まれる。検出用センサ１１は、動脈波を検出するセンサであればよく、たとえば、マイクロフォン、歪センサ、および光電センサなどが該当する。
【００２９】
測定部２０には、血圧測定用空気袋２１が含まれる。
また、本体３には、血圧測定装置全体を制御するＣＰＵ（Central Processing Unit）３０と、血圧測定用空気袋２１に接続されて、血圧測定用空気袋２１の内圧を測定する圧力センサ２３、血圧測定用空気袋２１に対する給気／排気を行なうポンプ２５、および弁２７からなる血圧測定用エアー系構成と、上記エアー系構成に接続される増幅器３１、ポンプ駆動回路３３、および弁駆動回路３４と、検出部１０に接続される増幅器３５と、増幅器３１，３５に各々接続されるＡ／Ｄ（Analog to Digital）変換器３２，３６と、ＣＰＵ３０で実行されるプログラムや測定結果を記憶するメモリ３７と、測定結果等を表示する表示器３８と、測定開始ボタンや測定終了ボタンなどを含む操作部３９とが含まれる。
【００３０】
ＣＰＵ３０は、操作部３９から入力される操作信号に基づいてメモリ３７に記憶されている所定のプログラムを実行し、ポンプ駆動回路３３および弁駆動回路３４に制御信号を出力する。ポンプ駆動回路３３および弁駆動回路３４は、制御信号に従ってポンプ２５および弁２７を駆動させ、血圧測定動作を実行させる。
【００３１】
圧力センサ２３は、血圧測定用空気袋２１の内圧を検出し、検出信号を増幅器３１に入力する。入力された圧力信号は増幅器３１において所定振幅まで増幅され、Ａ／Ｄ変換器３２においてデジタル信号に変換された後に、ＣＰＵ３０に入力される。
【００３２】
検出用センサ１１は、被験者の動脈波を検出し、検出信号を増幅器３５に入力する。入力された圧力信号は増幅器３５において所定振幅まで増幅され、Ａ／Ｄ変換器３６においてデジタル信号に変換された後に、ＣＰＵ３０に入力される。
【００３３】
ＣＰＵ３０は、圧力センサ２３から得られた測定結果および検出用センサ１１から得られた検出結果を用いて所定の処理を行ない、測定結果を表示器３８に表示させるために出力する。また、メモリ３７に格納するために出力する。
【００３４】
図５および図６は、本実施の形態にかかるカフ１を左上腕および右上腕に装着したときの、検出部１０と動脈との位置関係を説明する図であり、図７および図８は、カフ１を左上腕および右上腕に装着したときの、検出部１０での検出結果の具体例を示す図である。図５および図６は、カフ１を左上腕および右上腕に装着して、図２および図３におけるＡ−Ａ方向に見た断面の概略図である。
【００３５】
図５を参照して、カフ１を左上腕に装着したとき、検出部１０は左上腕の動脈のほぼ真上に位置する。また、図６を参照して、カフ１を右上腕に装着したとき、検出部１０は、図５において示された左上腕の動脈と検出部１０との位置関係よりも、右上腕の動脈からから遠い位置にある。その結果、図７および図８を参照して、カフ１を左上腕に装着したときの動脈波の振幅（図７）は右上腕に装着したときの動脈波の振幅（図８）よりも大きく検出される。
【００３６】
本実施の形態にかかる血圧測定装置においては、血圧測定に先だって、カフ１を左上腕に装着したときの動脈波の振幅と、右上腕に装着したときの動脈波の振幅との境界となる値が、判別値Ｐαとして予めメモリ３７に記憶されている。判別値Ｐαは、右上腕に装着したときの動脈波の振幅の最大値よりも大きく、左上腕に装着したときの動脈波の振幅の最小値よりも小さい値であることが好ましい。判別値Ｐαは、一般的な測定値に基づいて予め設定されているものであってもよいし、使用者が所定操作を行なって任意に設定するものであってもよいし、以下に説明する測定部位検出動作を予め行なって検出結果に基づいて設定されてもよい。
【００３７】
図９は、本実施の形態にかかる血圧測定装置の動作を示すフローチャートである。図９のフローチャートに示される動作は、ＣＰＵ３０がメモリ３７に記憶されるプログラムを読出して実行し、図４に示される各部を制御することで実現される。
【００３８】
図９を参照して、測定帯（止血帯）であるカフ１が上腕に装着された後、ＣＰＵ３０において、操作部３９にて動作開始が指示されたことが検出されると（ステップＳ１１）、測定部位を検出するための動作が実行された後（ステップＳ１３）、血圧測定が実行される（ステップＳ１５）。そして、ＣＰＵ３０は、測定結果を表示器３８に表示させ（ステップＳ１７）、測定結果および検出された測定部位を示す情報とをメモリ３７に格納する（ステップＳ１９）。
【００３９】
図１０は、上記ステップＳ１３で実行される測定部位検出動作を示すフローチャートである。また、図１１は、検出された動脈波の具体例を示す図である。
【００４０】
図１０を参照して、ＣＰＵ３０は、検出用センサ１１で検出された動脈波より振幅を検出する（ステップＳ１０１）。ここでは、カフ１が装着されて検出用センサ１１において動脈の検出が開始されてから検出値が安定するまでの所定時間が経過した後から、規定時間（たとえば１〜２回の動脈波が検出される程度の時間）の動脈波が検出され、そのうちの最大の振幅が検出振幅（Ａｍｐ）とされることが好ましい。または、最大の振幅に換えて振幅の平均値や、最小の振幅であってもよい。
【００４１】
ＣＰＵ３０は、ステップＳ１０１で検出された振幅とメモリ３７に記憶されている判別値Ｐαとを比較し（Ｓ１０３）、検出振幅（Ａｍｐ）が判別値Ｐαよりも大なるときには測定部位を左上腕、小なるときには右上腕と判別する（ステップＳ１０５，Ｓ１０７）。すなわち、検出振幅が判別値Ｐαよりも大なるときにはカフ１が動脈に近い左上腕に装着されているものと判別され、検出振幅が判別値Ｐαよりも小なるときにはカフ１が動脈から遠い右上腕に装着されているものと判別される。検出結果が図１１において実線で示される波形である場合、上記ステップＳ１０３での比較において検出された波形の最大振幅が判別値Ｐαよりも大きいことが判別されるので、上記ステップＳ１０５で測定部位が左上腕であると判別され、検出結果が図１１において点線で示される波形である場合、上記ステップＳ１０３での比較において検出された波形の最大振幅が判別値Ｐαよりも小さいことが判別されるので、上記ステップＳ１０７で測定部位が右上腕であると判別される。判別結果は測定部位の検出結果として一時的に記憶される。また、血圧測定に先だって、検出結果が表示器３８に表示されてもよい。
【００４２】
以上で測定部位の検出動作が終了し、図９のステップＳ１５に処理が返される。
［第１の実施の形態の変形例］
図１２は、第１の実施の形態の変形例にかかる血圧測定装置の構成の具体例を示すブロック図である。
【００４３】
図１２を参照して、変形例にかかる血圧測定装置の検出部１０には、上記検出用センサ１１（図４）に換えて検出用空気袋１２が含まれる。また、本体３には、図４に示された構成に加えて、検出用空気袋１２に接続されて、検出用空気袋１２の内圧を測定する圧力センサ１３、検出用空気袋１２に対する給気／排気を行なうポンプ１４、および弁１５からなる検出用空気袋エアー系構成と、上記検出用空気袋エアー系構成に接続されるポンプ駆動回路１８および弁駆動回路１９とが含まれる。ポンプ駆動回路１８および弁駆動回路１９は、ＣＰＵ３０からの制御信号に従ってポンプ１４および弁１５を駆動させ、動脈波検出を実行させる。
【００４４】
増幅器３５は、上記検出用センサ１１（図４）に換えて圧力センサ１３に接続される。圧力センサ１３は検出用空気袋１２の内圧を検出し、検出信号を増幅器３５に入力する。入力された圧力信号は増幅器３５において所定振幅まで増幅され、Ａ／Ｄ変換器３６においてデジタル信号に変換された後に、ＣＰＵ３０に入力される。
【００４５】
変形例にかかる血圧測定装置においても、図９に示される処理と同様の処理が行なわれる。
【００４６】
図１３は、変形例にかかる血圧測定装置において、上記ステップＳ１３で実行される測定部位検出動作を示すフローチャートである。また、図１４は、検出された動脈波の具体例を示す図である。
【００４７】
図１３を参照して、ＣＰＵ３０は、操作部３９に含まれる測定開始スイッチが押されたことを検出すると（ステップＳ２０１）、ポンプ駆動回路１８および弁駆動回路１９に対して制御信号を出力して弁１５を閉鎖させ（ステップＳ２０３）、ポンプ１４を駆動させて検出用空気袋１２に一定容量の空気を供給する（ステップＳ２０５）。ここでの一定容量は、検出用空気袋１２の内圧が５０ｍｍＨｇ以上程度となる量であり、好ましくは１００ｍｍＨｇ程度となる量である。そして、圧力センサ１３で検出された検出用空気袋１２の内圧で表わされる動脈波より、振幅を検出する（ステップＳ２０７）。ここでは、測定開始スイッチが押されて圧力センサ１３において動脈の検出が開始されてから検出値が安定するまでの所定時間が経過した後から、規定時間の動脈波か検出され、そのうちの最大の振幅が検出振幅とされることが好ましい。または、最大の振幅に換えて振幅の平均値や、最小の振幅であってもよい。
【００４８】
ＣＰＵ３０は、上記ステップＳ１０３〜Ｓ１０７と同様に、ステップＳ２０７で検出された振幅（Ａｍｐ）とメモリ３７に記憶されている判別値Ｐαとを比較し（Ｓ２０９）、検出振幅（Ａｍｐ）が判別値Ｐαよりも大なるときには測定部位を左上腕、小なるときには右上腕と判別する（ステップＳ２１１，Ｓ２１３）。検出結果が図１４において実線で示される波形である場合、上記ステップＳ２０９での比較において検出された波形の最大振幅が判別値Ｐαよりも大きいことが判別されるので、上記ステップＳ２１１で測定部位が左上腕であると判別され、検出結果が図１４において点線で示される波形である場合、上記ステップＳ２０９での比較において検出された波形の最大振幅が判別値Ｐαよりも小さいことが判別されるので、上記ステップＳ２１３で測定部位が右上腕であると判別される。
【００４９】
なお、変形例にかかる血圧測定装置では、図１２に示されるように、血圧測定を行なうための構成と動脈波検出を行なうための構成との、異なる用途の同じ構成を２つ備えるものとしているが、一方の構成のみ備えて、かかる構成で血圧測定と動脈波検出との機能を発揮させてもよい。
【００５０】
［第２の実施の形態］
図１５は、第２の実施の形態にかかる血圧測定装置に備えられるカフ１を、測定部位である上腕部に装着したときの腕の向きに直交する向きに切断した断面の概略を示す図である。図１５を参照して、第２の実施の形態にかかるカフ１には、裏布と表布とに覆われた内部に、動脈を検出する検出部１０Ａ，１０Ｂが備えられる。また、本実施の形態においては、検出部１０Ａ，１０Ｂは動脈を検出する機能と、血圧を測定する機能とを兼ね備える。
【００５１】
図１６は、本実施の形態にかかるカフ１を右上腕に巻付けた状態を説明する図である。
図１６を参照して、カフ１には装着方向（肩側および肘側）および装着角度（面ファスナの位置）が定められており、検出部１０Ａ，１０Ｂは上腕部をほぼ一周覆い、検出部１０Ａと検出部１０Ｂとのいずれか一方は動脈の上に位置する。
【００５２】
図１７は、本実施の形態にかかる血圧測定装置の構成の具体例を示すブロック図である。
【００５３】
図１７を参照して、本実施の形態にかかる血圧測定装置には、図１２に示された動脈検出用の構成が２つ含まれる。具体的には、検出部１０Ａには検出用空気袋１２Ａが含まれ、検出部１０Ｂには検出用空気袋１２Ｂが含まれる。また、本体３には、第１の実施の形態にかかる血圧測定装置と同様に、血圧測定装置全体を制御するＣＰＵ（Central Processing Unit）３０と、ＣＰＵ３０で実行されるプログラムや測定結果を記憶するメモリ３７と、測定結果等を表示する表示器３８と、測定開始ボタンや測定終了ボタンなどを含む操作部３９とが含まれる。さらに、本体３には、検出用空気袋１２Ａに接続されて、検出用空気袋１２Ａの内圧を測定する圧力センサ１３Ａ、検出用空気袋１２Ａに対する給気／排気を行なうポンプ１４Ａ、および弁１５Ａからなる検出用空気袋エアー系構成と、上記検出用空気袋エアー系構成に接続されるポンプ駆動回路１８Ａおよび弁駆動回路１９Ａと、圧力センサ１３Ａに接続される増幅器３５Ａと、増幅器３５Ａに接続されるＡ／Ｄ変換器３６Ａとが含まれる。さらに、同様に、検出用空気袋１２Ｂに接続されて、検出用空気袋１２Ｂの内圧を測定する圧力センサ１３Ｂ、検出用空気袋１２Ｂに対する給気／排気を行なうポンプ１４Ｂ、および弁１５Ｂからなる検出用空気袋エアー系構成と、上記検出用空気袋エアー系構成に接続されるポンプ駆動回路１８Ｂおよび弁駆動回路１９Ｂと、圧力センサ１３Ｂに接続される増幅器３５Ｂと、増幅器３５Ｂに接続されるＡ／Ｄ変換器３６Ｂとが含まれる。ポンプ駆動回路１８Ａ，１８Ｂおよび弁駆動回路１９Ａ，１９Ｂは、ＣＰＵ３０からの制御信号に従って、各々、ポンプ１４Ａ，１４Ｂおよび弁１５Ａ，１５Ｂを駆動させ、動脈波検出および血圧測定を実行させる。
【００５４】
図１８および図１９は、カフ１を左上腕および右上腕に装着したときの、検出用空気袋１２Ａ，１２Ｂと動脈との位置関係を説明する図であり、図２０および図２１は、カフ１を左上腕および右上腕に装着したときの動脈の検出結果の具体例を示す図である。図１８および図１９は、カフ１を左上腕および右上腕に装着して、図１６におけるＡ−Ａ方向に見た断面の概略図である。
【００５５】
図１８を参照して、カフ１を左上腕に装着したとき、検出用空気袋１２Ａは左上腕の上腕動脈に近い側であって動脈のほぼ真上に位置し、検出用空気袋１２Ｂは左上腕の上腕動脈より遠い側に位置する。また、図１９を参照して、カフ１を右上腕に装着したとき、検出用空気袋１２Ａは右上腕の上腕動脈より遠い側に位置し、検出用空気袋１２Ｂは右上腕の上腕動脈に近い側であって動脈のほぼ真上に位置する。その結果、図２０を参照して、カフ１を左上腕に装着したときには、動脈に近い検出用空気袋１２Ａの内圧を測定する圧力センサ１３Ａで検出される動脈波（図２０Ａ）の振幅の方が、動脈より遠い検出用空気袋１２Ｂの内圧を測定する圧力センサ１３Ｂで検出される動脈波（図２０Ｂ）の振幅よりも大きい。また、図２１を参照して、カフ１を右上腕に装着したときには、動脈に近い検出用空気袋１２Ｂの内圧を測定する圧力センサ１３Ｂで検出される動脈波の振幅（図２１Ａ）の方が、動脈より遠い検出用空気袋１２Ａの内圧を測定する圧力センサ１３Ａで検出される動脈波（図２１Ｂ）の振幅よりも大きい。
【００５６】
本実施の形態にかかる血圧測定装置においても、図９に示された動作と同様に動作して血圧測定が実行される。
【００５７】
図２２は、本実施の形態にかかる血圧測定装置において、図９のステップＳ１３で実行される測定部位検出動作を示すフローチャートである。
【００５８】
図２２を参照して、ＣＰＵ３０は、操作部３９に含まれる測定開始スイッチが押されたことを検出すると（ステップＳ３０１）、ポンプ駆動回路１８Ａ，１８Ｂおよび弁駆動回路１９Ａ，１９Ｂに対して制御信号を出力して弁１５Ａ，１５Ｂを閉鎖させ（ステップＳ３０３）、ポンプ１４Ａ，１４Ｂを駆動させて検出用空気袋１２Ａ，１２Ｂに一定容量の空気を供給する（ステップＳ３０５）。ここでの一定容量は、検出用空気袋１２Ａ，１２Ｂの内圧が５０ｍｍＨＧ以上程度となる量であり、好ましくは１００ｍｍＨＧ程度となる量である。そして、圧力センサ１３Ａ，１３Ｂで検出された検出用空気袋１２Ａ，１２Ｂの内圧で表わされる動脈波より、振幅（Ａｍｐ）を検出する（ステップＳ３０７）。ここでは、測定開始スイッチが押されて圧力センサ１３Ａ，１３Ｂにおいて動脈の検出が開始されてから検出値が安定するまでの所定時間が経過した後から、規定時間の動脈波か検出され、そのうちの最大の振幅が検出振幅とされることが好ましい。または、最大の振幅に換えて振幅の平均値や、最小の振幅であってもよい。
【００５９】
次に、ＣＰＵ３０は、ステップＳ３０７で検出された検出用空気袋１２Ａの内圧で表わされる動脈波の振幅Ａと、検出用空気袋１２Ｂの内圧で表わされる動脈波の振幅Ｂとを比較し（Ｓ３０９）、前者の振幅Ａの方が後者の振幅Ｂよりも大なるときには測定部位を左上腕、小なるときには右上腕と判別する（ステップＳ３１１，Ｓ３１３）。
【００６０】
さらに、第２の実施の形態においては、上記ステップＳ１５で血圧測定がなされる際、上記検出用空気袋１２Ａ，１２Ｂの両方に空気が供給され、上記判別結果に応じた圧力センサからの検出結果を用いて圧力を測定することが好ましい。すなわち、上記ステップＳ３１１で測定部位を右上腕と判別された場合には、ＣＰＵ３０は、動脈に近い方の圧力センサ１３Ｂから入力される検出信号を用いて血圧測定結果を得、上記ステップＳ３１３で測定部位を左上腕と判別された場合には、ＣＰＵ３０は、動脈に近い方の圧力センサ１３Ａから入力される検出信号を用いて血圧測定結果を得ることが好ましい。
【００６１】
以上が、本実施の形態にかかる血圧測定装置を用いて血圧を測定するまでの動作である。上記第１の実施の形態にかかる血圧測定または第２の実施の形態にかかる血圧測定が行なわれた後、上記ステップＳ１７では、測定結果として、測定値と共に測定部位も表示されることが好ましい。
【００６２】
図２３はステップＳ１７で表示器３８に表示される測定結果の第１の具体例を示す図であり、図２４はステップＳ１７で表示器３８に表示される測定結果の第２の具体例を示す図である。
【００６３】
図２３を参照して、第１の具体例としては、上記ステップＳ１７で、測定結果として、測定値（ＳＢＰ：最高血圧、ＤＢＰ：最低血圧、ＰＬＳ：脈拍）と共に、測定部位を示す情報（左腕または右腕）が文字で表示されることが好ましい。また、図２４を参照して、第２の具体例としては、上記ステップＳ１７で、測定結果として、測定値（ＳＢＰ：最高血圧、ＤＢＰ：最低血圧、ＰＬＳ：脈拍）が文字で表示され、測定部位が絵柄で表示されることが好ましい。
【００６４】
これによって、被験者である使用者は、測定結果と共に、測定部位がどこであったかも再度確認することができる。
【００６５】
次に、上記第１の実施の形態および第２の実施の形態で説明された動作で測定された血圧値の処理について説明する。
【００６６】
本実施の形態にかかる血圧測定装置では、上記ステップＳ１９において、ステップＳ１５で測定された結果をステップＳ１３で検出された測定部位を示す情報と対応付けてメモリ３７に記憶する。
【００６７】
図２５は、メモリ３７に記憶される測定結果の具体例を示す図である。図２５を参照して、メモリ３７には、測定結果として、測定値（ＳＢＰ：最高血圧、ＤＢＰ：最低血圧、ＰＬＳ：脈拍）と、測定部位を示す情報（左測定または右測定）と、測定日時を特定する情報（日付、時間）とが対応付けて記憶される。また、他の例として、測定結果が測定部位ごとに定められた領域に格納されてもよい。
【００６８】
さらに、本実施の形態にかかる血圧測定装置では、図２５に示されるようにメモリ３７に記憶された測定結果に対して統計処理を行なって処理結果を表示させてもよい。統計処理としては、具体的には平均値を算出する処理や偏差値を算出する処理などが該当し、それらの処理は、ＣＰＵ３０がメモリ３７に予め記憶されている統計処理用のプログラムを読出して実行することが実現される。本実施の形態にかかる血圧測定装置では、かかる統計処理を行なう際、ＣＰＵ３０はメモリ３７にアクセスして所定範囲の測定結果を読出し、測定値と対応付けられている測定部位を示す情報を参照して、統計処理に用いる測定値を抽出した後に所定の統計処理を行なう。
【００６９】
図２６は上記統計処理の結果の、第１の具体例を示す図であり、図２７は第２の具体例を示す図である。先に図２３および図２４に示されたように、処理結果は文字で示されてもよいし（図２６）、絵柄と共に示されてもよい（図２７）。
【００７０】
また、上記統計処理は、被験者である使用者が測定を終了したタイミング、すなわち上記ステップＳ１７で測定結果を表示するタイミングでなされて、測定結果と共に統計処理の結果が示されてもよい。図２６は、測定結果と共に、現在までの測定結果の平均値を測定部位ごとに文字で表わす表示例を示す図であり、図２７は、絵柄と共に表わす表示例を示す図である。なお、測定結果と共に統計処理を表示する場合、統計処理の結果は、図２６，図２７に示されるように今回の測定部位と関係なく測定部位ごとに表示してもよいし、今回の測定部位（図２６，図２７では左腕）と同じ測定部位で測定された測定値の統計処理の結果のみ表示してもよい。
【００７１】
また、このような統計処理の表示は測定に関わらず、任意のタイミングで表示されてもよい。たとえば、当該血圧測定装置や（着脱可能である場合に）メモリ３７を病院に持参して医師の判断を仰ぐ場合に、所定の操作を行なうことで統計処理が実行されて、その結果が表示されてもよい。
【００７２】
このような測定部位ごとの統計処理の結果が表示されることで、被験者や医師などの使用者は測定部位ごとの測定値の傾向を知ることができる。その結果、測定部位の違いによって測定値に含まれる誤差を認識し、測定値から適切な判断を行なうことが可能になる。
【００７３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７４】
【図１】第１の実施の形態にかかる血圧測定装置に備えられるカフ１を、測定部位である上腕部に装着したときの腕の向きに直交する向きに切断した断面の概略を示す図である。
【図２】第１の実施の形態にかかるカフ１を左上腕に装着した状態を説明する図である。
【図３】第１の実施の形態にかかるカフ１を右上腕に装着した状態を説明する図である。
【図４】第１の実施の形態にかかる血圧測定装置の構成の具体例を示すブロック図である。
【図５】第１の実施の形態にかかるカフ１を左上腕に装着したときの、検出部１０と動脈との位置関係を説明する図である。
【図６】第１の実施の形態にかかるカフ１を右上腕に装着したときの、検出部１０と動脈との位置関係を説明する図である。
【図７】第１の実施の形態にかかるカフ１を左上腕に装着したときの、検出部１０での検出結果の具体例を示す図である。
【図８】第１の実施の形態にかかるカフ１を右上腕に装着したときの、検出部１０での検出結果の具体例を示す図である。
【図９】第１の実施の形態にかかる血圧測定装置の動作を示すフローチャートである。
【図１０】ステップＳ１３で実行される測定部位検出動作を示すフローチャートである。
【図１１】検出された動脈波の具体例を示す図である。
【図１２】第１の実施の形態の変形例にかかる血圧測定装置の構成の具体例を示すブロック図である。
【図１３】変形例にかかる血圧測定装置において、ステップＳ１３で実行される測定部位検出動作を示すフローチャートである。
【図１４】検出された動脈波の具体例を示す図である。
【図１５】第２の実施の形態にかかる血圧測定装置に備えられるカフ１を、測定部位である上腕部に装着したときの腕の向きに直交する向きに切断した断面の概略を示す図である。
【図１６】第２の実施の形態にかかるカフ１を右上腕に巻付けた状態を説明する図である。
【図１７】第２の実施の形態にかかる血圧測定装置の構成の具体例を示すブロック図である。
【図１８】第２の実施の形態にかかるカフ１を左上腕に装着したときの、検出用空気袋１２Ａ，１２Ｂと動脈との位置関係を説明する図である。
【図１９】第２の実施の形態にかかるカフ１を右上腕に装着したときの、検出用空気袋１２Ａ，１２Ｂと動脈との位置関係を説明する図である。
【図２０】第２の実施の形態にかかるカフ１を左上腕に装着したときの動脈の検出結果の具体例を示す図である。
【図２１】第２の実施の形態にかかるカフ１を右上腕に装着したときの動脈の検出結果の具体例を示す図である。
【図２２】第２の実施の形態にかかる血圧測定装置において、ステップＳ１３で実行される測定部位検出動作を示すフローチャートである。
【図２３】ステップＳ１７で表示器３８に表示される測定結果の第１の具体例を示す図である。
【図２４】ステップＳ１７で表示器３８に表示される測定結果の第２の具体例を示す図である。
【図２５】メモリ３７に記憶される測定結果の具体例を示す図である。
【図２６】統計処理の結果の、第１の具体例を示す図である。
【図２７】統計処理の結果の、第２の具体例を示す図である。
【符号の説明】
【００７５】
１  カフ、３  本体、１０，１０Ａ，１０Ｂ  検出部、１１  検出用センサ、１２，１２Ａ，１２Ｂ  検出用空気袋、１３，１３Ａ，１３Ｂ  圧力センサ、１４，１４Ａ，１４Ｂ  ポンプ、１５，１５Ａ，１５Ｂ  弁、１８，１８Ａ，１８Ｂ  ポンプ駆動回路、１９，１９Ａ，１９Ｂ  弁駆動回路、２０  測定部、２１  血圧測定用空気袋、２３  圧力センサ、２５  ポンプ、２７  弁、３０  ＣＰＵ、３１，３５  増幅器、３２，３６  Ａ／Ｄ変換器、３３  ポンプ駆動回路、３４  弁駆動回路、３７  メモリ、３８  表示器、３９  操作部。
【図１】
2007185233.tif 000003
【図２】
2007185233.tif 000004
【図３】
2007185233.tif 000005
【図４】
2007185233.tif 000006
【図５】
2007185233.tif 000007
【図６】
2007185233.tif 000008
【図７】
2007185233.tif 000009
【図８】
2007185233.tif 000010
【図９】
2007185233.tif 000011
【図１０】
2007185233.tif 000012
【図１１】
2007185233.tif 000013
【図１２】
2007185233.tif 000014
【図１３】
2007185233.tif 000015
【図１４】
2007185233.tif 000016
【図１５】
2007185233.tif 000017
【図１６】
2007185233.tif 000018
【図１７】
2007185233.tif 000019
【図１８】
2007185233.tif 000020
【図１９】
2007185233.tif 000021
【図２０】
2007185233.tif 000022
【図２１】
2007185233.tif 000023
【図２２】
2007185233.tif 000024
【図２３】
2007185233.tif 000025
【図２４】
2007185233.tif 000026
【図２５】
2007185233.tif 000027
【図２６】
2007185233.tif 000028
【図２７】
2007185233.tif 000029